(57)【要約】【課題】  パネルを押える押縁をサッシ枠の室外側に取り付けたサッシ窓の防犯性を、簡易な構成によって確実に高めること。【解決手段】  サッシ枠３と、サッシ枠内に保持されるパネル１と、サッシ枠の室外側に取付ける押縁２と、押縁の内側に設置する外れ止め具７とを備え、外れ止め具７は、サッシ枠内周に取付けられる取付片４と、取付片に対して略直角に設けられパネル１の室外側面と対峙する外れ止め片５とを有し、外れ止め片５は、サッシ枠３の内周とパネル１の外周との間に延びる延出部６を設けてあり、外れ止め片５を室外側に折り曲げようとすると、延出部６がパネル１の外周に係止することを特徴とする。【選択図】      図１
2005194726.tif 000002
【特許請求の範囲】
【請求項１】
サッシ枠と、サッシ枠内に保持されるパネルと、サッシ枠の室外側に取付ける押縁と、押縁の内側に設置する外れ止め具とを備え、外れ止め具は、サッシ枠内周に取付けられる取付片と、取付片に対して略直角に設けられパネルの室外側面と対峙する外れ止め片とを有し、外れ止め片は、サッシ枠の内周とパネルの外周との間に延びる延出部を設けてあり、外れ止め片を室外側に折り曲げようとすると、延出部がパネルの外周に係止することを特徴とするサッシ窓。
【請求項２】
パネルを押える押縁がサッシ枠の室外側に取り付けられるサッシ窓に用いるパネルの外れ止め具であって、サッシ枠内周に取付けられる取付片と、取付片に対して略直角に設けられパネルの室外側面と対峙する外れ止め片とを有し、外れ止め片は、サッシ枠の内周とパネルの外周との間に延びる延出部を設けてあり、外れ止め片を室外側に折り曲げようとすると、延出部がパネルの外周に係止することを特徴とするパネルの外れ止め具。
【請求項３】
外れ止め具は、金属板を折り曲げ加工して形成され、延出部が外れ止め片の両側の側縁部に形成してあることを特徴とする請求項２記載のパネルの外れ止め具。
【発明の詳細な説明】
【技術分野】
【０００１】
本発明は、押縁をサッシ枠の室外側に取り付けてガラス等のパネルを保持するサッシ窓の防犯性の向上に関する。
【背景技術】
【０００２】
サッシ枠が樹脂で形成された窓、例えば嵌殺し窓などにおいては、性能上の理由から押縁をサッシ枠の室外側に取り付けてガラスパネルを保持する構造が一般化してきている。押縁は、サッシ枠に形成した押縁取付溝に係止させて取り付ける形となっており、ドライバー等の工具を用いて簡単に取り外すことができ、そうするとガラスパネルもサッシ枠から外せることとなり、このままでは防犯上問題がある。そこで従来は、押縁の内側に隠れる形で略Ｌ字形となった外れ止め具を設置し、押縁がサッシ枠から外されても、ガラスパネルは外れ止め具に引っ掛かってサッシ枠から外れないようにしている（特許文献１及び２参照。）。
【特許文献１】実公平６−１６０３４号公報
【特許文献２】特開昭６３−２７７３９１号公報
【発明の開示】
【発明が解決しようとする課題】
【０００３】
しかし、上記のような外れ止め具を設置してあっても、外れ止め具のガラスパネルとの引っ掛かり部分を、ドライバーやペンチ等の工具を用いて室外側に折り曲げることにより、ガラスパネルがサッシ枠から取り外されるおそれがあった。外れ止め具は、押縁とガラスパネル及びサッシ枠との間の、限られた狭いスペース内に設置しなければならないことから、ガラスパネルの引っ掛かり部分の折り曲げを防止するために、補強リブを設けて十分に補強するのは困難であった。仮に補強リブを設けた場合はガラスエッジとリブ間のクリアランスが所定の寸法を確保できなくなり、結局はサッシの形状を大きくせざるを得なくなる上に、侵入者にリブの存在が伝わりにくいため、侵入者が曲げ易く感じた場合犯罪抑止力にも乏しくなる恐れがある。本発明はこのような実情に鑑みてなされたものであって、ガラスパネルを押える押縁をサッシ枠の室外側に取り付けたサッシ窓の防犯性を、簡易な構成によって確実に高めることを目的とする。
【課題を解決するための手段】
【０００４】
上記の課題を達成するために請求項１記載の発明によるサッシ窓は、サッシ枠と、サッシ枠内に保持されるパネルと、サッシ枠の室外側に取付ける押縁と、押縁の内側に設置する外れ止め具とを備え、外れ止め具は、サッシ枠内周に取付けられる取付片と、取付片に対して略直角に設けられパネルの室外側面と対峙する外れ止め片とを有し、外れ止め片は、サッシ枠の内周とパネルの外周との間に延びる延出部を設けてあり、外れ止め片を室外側に折り曲げようとすると、延出部がパネルの外周に係止することを特徴とする。延出部は、ガラスパネルの外周に十分に係止し得る長さに形成し、且つ取付片とは分離する形で設ける。パネルはガラスパネルに限らず樹脂パネルであってもよい。
【０００５】
本発明によるパネルの外れ止め具は、パネルを押える押縁がサッシ枠の室外側に取り付けられるサッシ窓に用いるパネルの外れ止め具であって、サッシ枠内周に取付けられる取付片と、取付片に対して略直角に設けられパネルの室外側面と対峙する外れ止め片とを有し、外れ止め片は、サッシ枠の内周とパネルの外周との間に延びる延出部を設けてあり、外れ止め片を室外側に折り曲げようとすると、延出部がパネルの外周に係止することを特徴とする。
【０００６】
請求項３記載の発明は、外れ止め具は、金属板を折り曲げ加工して形成され、延出部が外れ止め片の両側の側縁部に形成してあることを特徴とする。
【発明の効果】
【０００７】
本発明のサッシ窓及びパネルの外れ止め具によれば、外れ止め具の外れ止め片をドライバー等の工具で室外側に折り曲げようとすると、延出部がパネルの外周に係止して外れ止め片の折り曲げが阻止される。したがって、室外側からはパネルを割らずにサッシ枠から取り外すことは不可能となり、押縁が室外側に取り付けられるサッシ窓に高い防犯性を持たせることができる。
【０００８】
請求項３記載の発明によれば、外れ止め具が金属板を所定形状に切断して折り曲げ加工することで形成でき、ダイキャスト金型を製作したり、複数の部品を溶接したりといった手間が不要なので、外れ止め具を簡単に製作して安価に提供できる。また、外れ止め片の折り曲げを両側の二箇所の延出部によって阻止するので、折り曲げを防止する効果が高い上、侵入しようとする者に延出部の存在が視認しやすいことから、手間と危険性を考えて侵入を諦めるという効果も期待できる。
【０００９】
延出部が外れ止め片の横幅方向の中間部に設けてあると、延出部を室外側に折り曲げられるおそれが小さくなり、防犯性が一層高められる。
【００１０】
さらに、延出部を外れ止め片の両側の側端部と横幅方向の中間部とに設けてあるものであれば、より一層確実に外れ止め片の折り曲げを阻止できる。
【発明を実施するための最良の形態】
【００１１】
以下、本発明の実施の形態を図面に基づいて説明する。図１〜図３は本発明に係るサッシ窓の一実施形態を示している。このサッシ窓は、合成樹脂製のサッシ枠３に、２枚のガラス板８を周縁部にスペーサー９を挟んで接合した複層構造のガラスパネル１を嵌殺し状態に保持させたもので、断熱性に優れたものとなっている。サッシ枠３を構成する左右の縦枠材１０及び上枠材１１と下枠材１２は、合成樹脂を押出成形して形成され、図１に示すように、外周側に建物の躯体１３への取付部１４を有し、内周側の室内側位置にガラスパネルの室内側支持部１５を有し、内周側の室外側位置に押縁取付溝１６を有している。ガラスパネル１は、周縁部がサッシ枠の室内側支持部１５と押縁２との間に、それぞれパッキン１７，１８を介して挟持されており、さらに左右の縦枠材１０の中間高さ位置の押縁２の内側には外れ止め具７が設置してあって、押縁２をサッシ枠３から外しても、ガラスパネル１は外れ止め具７の外れ止め片５に引っ掛かかって外れないようにしている。外れ止め具７は、縦枠材１０の内周側面にビス１９で取り付けた取付部２０に、取付片４を室外側から挿入係止して取り付けてある。
【００１２】
外れ止め具７は、図２に示すように、サッシ枠への取付片４と外れ止め片５とを直角に有する略Ｌ字状の部材となっている。この外れ止め具７は、一枚の１ミリ程度の厚みのステンレス板等の金属板を、レーザー加工やプレス加工等により所定形状に切断した後、折り曲げ加工して一体に形成してある。取付片４は、幅方向の中央部に切り欠き２１を設けて二股状に形成してあり、その各部にコ字状の切り込みを入れ、その切り込みの内側を上方に僅かに折り曲げることによって、係止部２２を形成してある。外れ止め片５の両側の縁部には、延出部６を室内側に向けて直角に折り曲げて形成してある。
【００１３】
取付部２０は、合成樹脂により一体成形したものを用いており、外れ止め具７の取付片４を挿入する取付片挿入穴２３と、取付片の係止部２２が係止する窓２４とを有し、外れ止め具７の取付片４を取付片挿入孔２３に室外側から挿入するだけで、取付片の二箇所の係止部２２が窓２４にそれぞれ係止し、外れ止め具７を取付部２０に外れない様に取り付けできる。外れ止め片５は、ガラスパネル１の室外側面と隙間を持って対峙している。外れ止め具の延出部６は、取付部２０を両側から挟むような形で、図１に示すように、ガラスパネル１の外周とサッシ枠３の内周との間に延び、その先端はガラスパネル１の厚さ方向の室外側面寄り約１／３の箇所から室内側面の範囲に達している。延出部６は、後述するように、外れ止め片５を室外側に折り曲げようとしたときにガラスパネル１の外周に係止して、その折り曲げを防止するもので、延出部６の長さが長いほどガラスパネル１との引っ掛かりが強くなるから、外れ止め片５が折り曲げ難くなる。尚、ガラスパネル１が複層ガラスの場合には、延出部６の先端は少なくとも室外側のガラスの室内側面まで達していればよい。
【００１４】
本サッシ窓は以上のように構成され、泥棒がガラスパネル１をサッシ枠３から外すために、押縁２をサッシ枠３から取り外した上で、図４に示すように、外れ止め具の外れ止め片５の内側にドライバー等の工具２５を差し入れて折り曲げようとしても、延出部６がガラスパネル１の外周に係止するため、外れ止め片５の折り曲げを阻止できる。また、無理に折り曲げようとすればガラスパネル１が破損することになるので、ガラスパネル１の破損によって生ずる物音を嫌う侵入者に侵入を諦めさせる効果も期待できる。
【００１５】
なお、ガラスパネル１にひび割れが生じたりして交換しなければならないときは、ガラスパネル１を割った上で、取付部の窓２４に工具を差し込んで係止部２２の係止を解き、外れ止め具７を取付部２０から抜き取って行う。また、取付片の係止部２２をガラスパネル１の室内側面よりも室内側の位置に設けるとともに、サッシ枠３のガラスパネルの室内側支持部１５に工具を挿入するための孔を設けるなどしておけば、ガラスパネル１を割らずに外れ止め具７を外すことができる。外れ止め具７は、左右の縦枠材１０に段違いに設置してあってもよいし、上枠材１１と下枠材１２に設けてあってもよく、設ける数も二つに限らず三つ以上設けてもよい。取付部２０は、ガラスパネル１の支持部材と兼用することができる。また、別に形成した取付部２０をサッシ枠３に取り付けるのではなく、サッシ枠３に取付部２０を一体に形成することもできる。
【００１６】
図５は、外れ止め具７の他の実施形態を示しており、延出部６を外れ止め片５の横幅方向の中間部に設けてある点が、先に説明したものと異なっている。このように形成しても、延出部６がガラスパネル１の外周に係止して外れ止め片５の折り曲げを阻止でき、延出部６が中間部にあって室外側に折り曲げにくいことから、防犯性がより一層高まると考えられる。なお延出部６は、外れ止め片５の両側の側縁部と横幅方向の中間部の計３箇所に設けることもできる。
【図面の簡単な説明】
【００１７】
【図１】図３におけるＡ−Ａ断面図である。
【図２】本発明に係るサッシ窓の要部を示す分解斜視図である。
【図３】本発明に係るサッシ窓の室外側正面図である。
【図４】外れ止め具の外れ止め片を、工具で室外側に折り曲げようとしたときの状態を示すサッシ窓の断面図である。
【図５】本発明に係るガラスパネルの外れ止め具の他の実施形態を示す斜視図である。
【符号の説明】
【００１８】
１  ガラスパネル（パネル）
２  押縁
３  サッシ枠
４  取付片
５  外れ止め片
６  延出部
７  外れ止め具
【図１】
2005194726.tif 000003
【図２】
2005194726.tif 000004
【図３】
2005194726.tif 000005
【図４】
2005194726.tif 000006
【図５】
2005194726.tif 000007